Podtech/llm-jp-corpus-v4-ja_patent huggingface dataset:
(57)【要約】      （修正有）【課題】財布等から希望する１枚のカードを容易に引き出す事の出来るアタッチメントを提供する。【解決手段】アタッチメントは２枚のカードをずらして固定した物で、取り出したい希望のカードをはさみ込みアタッチメントと共にカードを引き出す事になる。治まりすぎたカードを素手で引き抜いたり、無理やりへの字に折り曲げたりせずに希望のカードへ押し込む事によりカードを引き出す事が出来るようにした。アタッチメントを使用する事により、支払い等迅速を要する場面でも、あわてずに財布等からスムーズにカードを取り出す事が出来る。【選択図】図１
0003159875.tif 000002
【実用新案登録請求の範囲】
【請求項１】
２枚の異なる大きさの板状体（1、2）と両者を結合するハトメパンチ（３）とを具備し両板状体の弾発力に抗して板状体（1、2）に隙間を形成し、該隙間に挿入されたカード（４）が狭着されるようにした事を特徴とするアタッチメント。
【考案の詳細な説明】
【技術分野】
【０００１】
本考案は財布等から取り出しアタッチメントを使ってカードを取り出す。
【背景技術】
【０００２】
財布等に何もかも区別なく治まり保管していた。
【先行技術文献】
【特許文献】
【０００３】
【特許文献１】実用新案登録第３０９２２１３号  公報
【考案の概要】
【考案が解決しようとする課題】
【０００４】
本考案は前例がなく財布等に治まりすぎた多くのカードの中から希望の１枚のカードを取り出せる画期的なアタッチメントです。
【課題を解決するための手段】
【０００５】
治まりすぎたカードを素手で引き抜いたり、無理やりへの字に折り曲げたり希望のカードへ押し込む事によりカードを引き出す事が出来るようにした。
【考案の効果】
【０００６】
アタッチメントを使用する事により、支払い等迅速を要する場面でも、あわてずに財布等よりスムーズにカードを取り出す事が出来る。
【図面の簡単な説明】
【０００７】
【図１】本考案の取り出しアタッチメントの斜視図である。
【図２】取り出しアタッチメントの欠断面図である。
【図３】アタッチメントをカードに入れる斜視図である。
【図４】アタッチメントを希望するカードに挿入した斜視図である。
【図５】アタッチメントがカードを引き出した斜視図である。
【考案を実施するための形態】
【０００８】
アタッチメントは２枚のカードをずらして固定した物で、取り出したい希望のカードをはさみ込みアタッチメントと共にカードを引き出す事になる。
【実施例】
【０００９】
以下、添付図面に従って実施例を説明する。１は耐久性の板状体のアタッチメント、２はハトメパンチで２枚のカードをプレスにて固定する。
【符号の説明】
【００１０】
１アタッチメント本体
２アタッチメント本体
３ハトメパンチ
【図１】
0003159875.tif 000003
【図２】
0003159875.tif 000004
【図３】
0003159875.tif 000005
【図４】
0003159875.tif 000006
【図５】
0003159875.tif 000007
(57)【要約】      （修正有）【課題】ソーラーガーデンライトを屋内の常夜灯としても利用、或は誘導灯や非常灯にも対応可能になるソーラー発電常夜灯を提供する。【解決手段】ソーラーパネル１を装備している常夜灯本体２の中には充電池と照明のオン・オフのスイッチを設ける。また、常夜灯本体２には可透性のカバー３が付いている。可透性のカバー３に付いている開脚自在な二股状の持ち手４の付け根５（２か所）が３６０°回転可能である。持ち手４はいろいろな角度に変えることができる。持ち手４の角度が変われば、カバー３の角度も変わるためソーラーパネル１の向きを太陽光の方へ自由に変えられる。持ち手４を支持台として利用するときソーラーパネル１はいろんな角度に対応しやすくなる。あらゆる場所に対応できるようになっている。【選択図】図１
0003159805.tif 000002
【実用新案登録請求の範囲】
【請求項１】
常夜灯本体と、この常夜灯本体に備えられたソーラーパネル及びこのソーラーパネルの発電を蓄電する蓄電池と、更に前記蓄電池からの出力にて発光するＬＥＤと、周囲の一定暗さにおいて動作する明暗感知センサーと、雨天時の充電時に対応するための防水加工とを持ち合わせたソーラー発電常夜灯。
【請求項２】
前記常夜灯本体は、開脚自在で而も滑り止めを施した二股状の持ち手を備えたことを特徴とした請求項１記載のソーラー発電常夜灯。
【請求項３】
前記常夜灯本体は、自転車本体の前方ハンドル付近、或いは後方荷台付近の何れかもしくは両方に装備したことを特徴とした請求項１記載のソーラー発電常夜灯。
【考案の詳細な説明】
【技術分野】
【０００１】
この考案は、ソーラーガーデンライトを屋内の常夜灯としても利用、或は誘導灯や非常灯にも対応可能になるソーラー発電常夜灯に関する。
【背景技術】
【０００２】
従来の屋内常夜灯は電気を電源とし、固定照明器具に設けられた物である。しかしながら、以上の技術によれば固定照明器具に設けられているため、限られた範囲にしか明りを提供できない。電気のオン・オフも手動で行わなければならない。また、停電時には電源がなくなり常夜灯の役目を果たさない。
【考案の概要】
【考案が解決しようとする課題】
【０００３】
そこで、この考案は、ソーラーガーデンライトに持ち手を付け屋内や屋外で利用することにより常夜灯を必要な所に設置する、また停電時にも常夜灯を提供することを課題とする。
【課題を解決するための手段】
【０００４】
本考案は、ソーラーガーデンライトを利用することを特徴とするソーラー発電常夜灯である。ソーラーガーデンライトはＬＥＤ利用で明りセンサー付き、防水加工されソーラー電池への蓄電可能なもの。
【０００５】
また、本考案は必要な所に常夜灯を設置することや、充電時に終日一番日当たりの良い場所に設置するために、固定ではなく携帯することを特徴とするソーラー発電常夜灯である。
【０００６】
更に本考案は開脚自在な二股状の持ち手を付けたことを特徴とするソーラー発電常夜灯である。
【考案の効果】
【０００７】
(１)請求項１により、蓄電可能なソーラーライトにすることで、電源の無い所でも必要な場所に常夜灯を提供できることと、日没後も屋内照明により若干の充電が可能である。電気の再利用にもなる。火災などでの停電時にも照明が可能なため誘導灯にもなる。明りセンサーにより、照明を消すと自動的に明りを提供するため、照明器具に設置している常夜灯は利用しなくてもよい。省エネでありエコロジーである。また、照明のオン・オフ、充電のオン・オフが自動なので手間がかからず弁理である。ＬＥＤを利用することにより、今までの電球より消費電力が少ないため長時間の照明が可能になる。ＬＥＤの色を変えることにより常夜灯の利用方法も広がる。赤や緑なら非常時の誘導灯、青は防犯効果があるようなので、犯罪防止にもなる。カバーにキャラクターや絵柄のシール、文字や数字のシールを貼ることにより常夜灯を楽しむことができる。子供も消灯後の自動点灯を好み太陽光に興味を持ち知育にもなる。充電時の天候不良に対応するため防水加工にする。防水加工することで、火災時の水による消火活動中でも照明が可能になり、誘導灯としてより効果的である。
【０００８】
(２)請求項２により、携帯することにより、電源の無い空間にも簡単に常夜灯を提供することができる。今まで照明を提供できなかった所にも設置可能になる。終日一番日当たりの良い所に設置しフル充電が可能である。また、懐中電灯としても利用可能で、懐中電灯を探すこともなく、電池のパワー不足に困ることもない。
【０００９】
(３)請求項３により、開脚自在な二股状の持ち手を付けたことにより、太陽光充電時や常夜灯の照明時の設置に対応しやすい。また、この持ち手は３６０°回転可能にしたため、持ち手を下向きにすれば本体を支える支持台にもなり、天井や床などいろいろな空間に設置が可能になる。
【図面の簡単な説明】
【００１０】
【図１】ソーラーパネルを上にした際の斜視図。
【図２】ソーラーパネルを下にした際の斜視図。
【図３】ソーラー発電常夜灯に取り付けベルトを付けた際の図
【図４】ソーラー発電常夜灯を自転車に取り付けた図
【考案を実施するための形態】
【００１１】
以下本考案を実地例として揚げた図面に基いて説明すること。図１はソーラーパネル１を上にして太陽光を充電する際の斜視図であって、ソーラーパネル１を装備している常夜灯本体２の中には充電池と照明のオン・オフのスイッチ８を設けている。また、常夜灯本体２には可透性のカバー３が付いている。可透性のカバー３に付いている開脚自在な二股状の持ち手４の付け根５（２か所）が３６０°回転可能である。持ち手４はいろいろな角度に変えることができる。持ち手４の角度が変われば、カバー３の角度も変わるためソーラーパネル１の向きを太陽光の方へ自由に変えられる。持ち手４を支持台として利用するときソーラーパネル１はいろんな角度に対応しやすくなる。あらゆる場所に対応できるようになっている。
【００１２】
更に図２に示す如くソーラーパネル１を下向きに、常夜灯本体２に備えている可透性のカバー３とＬＥＤ７と反射カバー６を上向きにしている。又持ち手４を上向きにしてランタンのように吊るすこともできる。
【００１３】
又、図３は持ち手４にマジックテープ（登録商標、以下同様）状の取り付けベルト９を２ヵ所取り付けた状態を示し、マジックテープ状の取り付けベルト９を設置場所に巻き付けどこにでも取り付け可能としている。
【００１４】
図４は自転車Ｂの前方Ｂｈと後方Ｂｂにソーラー発電常夜灯を取り付けた図であって、自転車Ｂの駐輪場所が日当たりの良い場合はソーラー発電常夜灯を取り付けたままで良いが、日当たりが悪ければソーラー発電常夜灯を取り外し、日当たりの良い場所で充電可能となる。
【符号の説明】
【００１５】
１ ソーラーパネル
２ 常夜灯本体
３ 可透性のカバー
４ 持ち手
５ 付け根
６ 反射カバー
７ ＬＥＤ
８ スイッチ
９ マジックベルト状の取り付けベルト
Ｂ 自転車
Ｂｈ 自転車前方
Ｂｂ 自転車後方
【図１】
0003159805.tif 000003
【図２】
0003159805.tif 000004
【図３】
0003159805.tif 000005
【図４】
0003159805.tif 000006
(57)【要約】      （修正有）【課題】工作を楽しみながら水車組立キットを組み立て、これにより水車入手を容易にし工作意欲も同時に解決する小型水車組立キットを提供する。【解決手段】庭園作りの一端で溜池、ビオトープなどの装飾品で本来水力で回転させ水車のみの回転は勿論、当該水車に付帯するカラクリを駆動させる動力源としている。一方室内等のオブジェとして利用するときは風力でも回転する。当該水車は組立キットとしており、量販店などに展示するにも容易である。【選択図】図１
0003159836.tif 000002
【実用新案登録請求の範囲】
【請求項１】
高所より流出する水流を誘導する樋と、該樋より落下する水を受け止める羽根付水車と該水車を簡単で安定的に固定する台座とから構成された小型水車組立キット。
【考案の詳細な説明】
【技術分野】
【０００１】
本考案は自然流水は勿論溜池、ビオトープなど浄化を必要とする際発生する流水を利用して回転させる本格的小型水車である。
【背景技術】
【０００２】
庭作りには必ずといっていいほど溜池などビオトープを作り灯篭、噴水、筧などの設置を推奨している。これら添景物は一般的に市販されているが水車に関しては大型水車キットは提案されているが手軽でコンパクトに楽しめる小型水車は提案されていない（たとえば非特許文献１）、本考案物の水車は構造上非常に複雑で正確さを必要とするため実用的な小型水車は市販例がなく入手困難である。これを解決するため小型水車組立キットを考案した。しかも一部工作により制作意欲を掻き立てまた簡単に組み立てることが可能な特徴を持っている、これによりビオトープの増加促進にもなる。
【非特許文献１】著者：岡田文夫        タイトル：ミニ庭園作りコツのコツ  出版社：平文社    発行所：農山漁村文化協会    ページ：２７ｐ
【考案の概要】
【考案が解決しようとする課題】
【０００３】
前述の溜池、ビオトープなどを濾過する時発生する流水を利用するものであるが、いざ水車設置となると一般的には市販されておらず特別注文となり費用も高額になり不経済となる、そこで工作を楽しみながら水車組立キットを組み立て、これにより水車入手を容易にし工作意欲も同時に解決しようとするものである。
【課題を解決するための手段】
【０００４】
本考案は、庭園作りの一端で溜池、ビオトープなどの装飾品で本来水力で回転させ水車のみの回転は勿論、当該水車に付帯するカラクリを駆動させる動力源としている。一方室内等のオブゼとして利用するときは風力でも回転する。
当該水車は組立キットとしており、量販店などに展示するにも容易で前述の不経済、工作意欲、入手困難を同時に解決している。
【考案の効果】
【０００５】
従来の水車は比較的大型で、小池、小規模ビオトープ内などの設置には適していなかった。本考案は小型を特徴とし簡単に組立てられるために狭い場所にも適合し普及効果も大である。またその場の風情を情緒あるものにし見る人の心情を捉え、ひいては水場の構築になるため絶滅危惧種の生物、小動物の生きる場所を提供する効果がある。室内にてはオブゼとしての観賞物ともなる。
【図面の簡単な説明】
【０００６】
【図１】本考案物の側面図で水流を受け止める羽根板は込み栓で水車フレームを堅固に固定、それ以外の結合はビス、ボルトナット締めで組み立て台座に固定した図である。
【図２】本体の正面図で特に水車固定台の正面構造を見る。
【考案を実施するための形態】
【０００７】
本考案は付属物である水車小屋と、その水車小屋のなかに組み込まれた、木挽き、粉引き臼、石臼、唐箕などの各々と連動させることより当該カラクリの動力源として使用し木偶のひょうきんな動作を表現させる。また少量の水量でも安定的に回転するよう羽根に傾斜を持たせ、しかも左右一体型の水車車軸受け台としこれにより設置が容易でさらに設置
変更が自由自在で便利である。
【実施例】
【０００８】
添付図面に従って説明する。本工作物は全て防腐加工済みのヒノキ材である。水車フレーム１は１／４円で両端をはぎ合わせ形状にしスポーク５を剥ぎ合わせ部分に重ねボルトナットで堅く締め付け環状フレームを形成する。羽根２は両端に込み栓ホゾ穴付ホゾ３を持ちこのホゾを該水車フレームのホゾ穴に貫通させテーパー型にした込み栓４を打ち込み左右の該水車フレームを頑丈に固定すると同時に水を受け止める役目もある。
【０００９】
スポーク固定バー６はデザイン的にも必要だが、フレーム１とジブ７との中間にありスポーク５の各々とボルトナットで堅く締め付けることによって当該水車フレームの変形を防いでいる。
【００１０】
工作作業のある部分。羽根２は水車半径に対し１０〜２０度で、好ましいのは１３度〜１８度、もっとも好ましいのは１５度の傾斜を持たせた羽根で底板８との接触面が小さいため接触面を大きくする切削作業。込み栓４は打ち込み締め付けのためテーパー型に切削作業。
【符号の説明】
【００１１】
１  水車フレーム
２  羽根
３  ホゾ
４  込み栓
５  スポーク
６  スポーク固定バー
７  スポークならびに車軸固定ジブ
８  底板
９  台座
【図１】
0003159836.tif 000003
【図２】
0003159836.tif 000004
(57)【要約】      （修正有）【課題】木造家屋の耐震改修に利用する場合、施工が簡単で、壁面からでも内部の構造材に設置出来、開口部に設置しても支障がなく、外観のアクセントにもなる制振かすがいを提供する。【解決手段】木材の接合面を挟んで打ち込むかすがいに於いて、かすがいを棒ばね材で組成し、露出部分１を弓形にして、埋め込み部の木材としての管柱２と軒桁３をつなぎ留めると共に、地震等の振動を吸収し、崩壊を阻止する制振性能を発揮する。【選択図】図１
0003159723.tif 000002
【実用新案登録請求の範囲】
【請求項１】
かすがいを棒ばね材で組成し、露出部分を弓形に形成することにより、伸び縮み出来るようにして、制振性能を有する制振かすがい。
【請求項２】
かすがいを棒ばね材で組成することにより、丸太キットハウスの組み立てに利用すれば、丸太に加工した穴に前記制振かすがいをはめ込む作業により、簡単に組み立て出来て、制振性能を有する制振かすがい。
【請求項３】
前記制振かすがいを木造家屋の耐震改修に利用すれば、建物の壁面からでも内部の構造材に前記制振かすがいを設置することが出来、外観のアクセントになると共に、低コストで制振性能を有する制振かすがい。
【請求項４】
前記制振かすがいで耐震補強できる為、開口部にも設置しても支障にならず、本体にデザインを加えることにより、装飾金具としても利用出来る制振かすがい。
【考案の詳細な説明】
【技術分野】
【０００１】
本考案は制振性能を有するかすがいに関するものである。
【背景技術】
【０００２】
かすがいは木材同士をつなぎ留める役割をしているが、想定以上の地震により、接合部が崩壊して、役割を果たさない。
【先行技術文献】
【特許文献】
【０００３】
【特許文献１】特開平１１−２２２９３１号  公報
【考案の概要】
【考案が解決しようとする課題】
【０００４】
木造の構造材を繋ぎ止め、地震等の振動にも耐え得る金具を低コストで提供する。
【課題を解決するための手段】
【０００５】
本考案は、かすがいを棒ばね材で組成し、露出部分を弓形に形成することにより、伸び縮み出来るようにして、制振性能を有することにより、問題点を解決している。
【考案の効果】
【０００６】
本考案により、低コストで制振構造に寄与することが出来ると共に、従来では、想定以上の地震があれば金具部分から木材が裂ける現象があったが、それを防ぐことが出来る。また、丸太キットハウス等の組み立てにおいても、本考案を利用することにより、簡単に組み立てすることが出来る。木造家屋の耐震改修に利用する場合、施工が簡単で、壁面からでも内部の構造材に設置出来、開口部に設置しても支障がなく、外観のアクセントにもなる。
【図面の簡単な説明】
【０００７】
【図１】本考案の制振かすがいを木造に設置している立体図である。管柱２と軒桁３に穴をあけて制振かすがい１を４で埋め込み、補強すると共に、地震等の振動にたいして制振かすがい１が振動を吸収することにより、制振性能を発揮する。
【図２】前記制振かすがいを木造に設置している上部から見た図である。管柱２と軒桁３に穴をあけて制振かすがい１を４で埋め込んでいる。
【図３】前記制振かすがいにデザインを加え木造に設置している正面図である。管柱２と軒桁３に穴をあけて制振かすがい１を４で埋め込んでいる。
【図４】前記制振かすがいを木造に設置している側面から見た図である。管柱２と軒桁３に穴をあけて制振かすがい１を４で埋め込んでいる。
【考案を実施するための形態】
【０００８】
木造の軒桁と管柱等に制振かすがいを打ち込んで施工する。設置箇所は片側でもハの字のごとく両側でも可能である。また、大きさは、構造等により大小設置可能であり、開口部や、壁の上から耐震補強としても設置可能である。
【実施例】
【０００９】
以下、添付図面に従って実施例を説明する。
図１の様に、棒ばね材で組成された制振かすがいを木造の管柱２と軒桁３に４で埋め込み設置することにより、地震等の振動を制振かすがいが変形することにより吸収し、埋め込み部分４で破損することもなく制振性能を発揮する。
【００１０】
上部から見た図２の埋め込み部分４は反対側には露出しないが、反対側でもう一対の制振かすがいを設置する場合は位置をずらして埋め込む。
【００１１】
正面図、図３の様に制振かすがいの露出部分１にデザインを加えて設置することにより、装飾金具として利用出来、設置場所を選ばないため色々な所に施工できるので、制振性能を発揮しやすい。
【００１２】
側面から見た図４の制振かすがいの設置は、内壁側でも外壁側でも両方でも設置可能である。
【符号の説明】
【００１３】
１  制振かすがい
２  管柱
３  軒桁
４  埋め込み部分
【図１】
0003159723.tif 000003
【図２】
0003159723.tif 000004
【図３】
0003159723.tif 000005
【図４】
0003159723.tif 000006
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
かすがいを棒ばね材で組成し、露出部分を弓形に形成することにより、伸び縮み出来るようにして、制震性能を有する制振かすがい。
【請求項２】
丸太キットハウスの組み立てに用いられることを特徴とする、請求項１記載の制振かすがい。
(57)【要約】      （修正有）【課題】建物のブレースや装置を設置する場合、常時張力を保持させると共に、地震等の振動に耐え得るような支持が可能となる制振ターンバックルを低コストで提供する。【解決手段】ターンバックルをばね材で構成し、円形に形成する。円形状のばね材と、ばね材と連結する連結部材と、連結部材の一端をブレース上部に、他端をブレース下部に接続する。【選択図】図１
0003159724.tif 000002
【実用新案登録請求の範囲】
【請求項１】
ターンバックルをばね材で構成し、円形に形成することにより、伸び縮み出来るようにして、制振性能を有する制振ターンバックル。
【請求項２】
円形状のばね材と、前記ばね材と連結する連結部材と、前記連結部材の一端を筋交い上部に、他端を筋交い下部に接続したことを特徴とする制振ターンバックル。
【請求項３】
前記ターンバックルを引っ張り強度を特徴とする筋交いの一部分に採用することにより、制振性能を有すると共に、圧縮方向にも弾性性能を有する制振ターンバックル。
【請求項４】
前記ターンバックルを装置や荷物の固定用に用いる場合は、ワイヤーや丸棒等の架線材の中間に取り付けて締め付けることにより、ばね材が利き、より強固に固定出来て、振動に対しても緩みにくい性能を有する制振ターンバックル。
【考案の詳細な説明】
【技術分野】
【０００１】
本考案は制振性能を有するターンバックルに関するものである。
【背景技術】
【０００２】
従来のターンバックルは、変形することのない強固なターンバックル本体の両端に右ねじと左ねじのついたフックで構成されている。このターンバックルを建築物の構造材の対角線上ブレース中間部に取り付けて、連結し、前記ターンバックル本体を回すことにより、緩みをなくして設置していた。
【先行技術文献】
【特許文献】
【０００３】
【特許文献１】特開平１０−３０６８４号  公報
【考案の概要】
【考案が解決しようとする課題】
【０００４】
従来のターンバックルでは、想定以上の振動により、緩みが出たり、振動を吸収出来ない場合取り付け部が破損して、役割を果たさない。制振構造に板ばねや硬質ゴム等を使用すれば耐久性に問題があり、ダンパー等を使用すればコストがかかる。
【課題を解決するための手段】
【０００５】
本考案は、ターンバックルを棒ばね材で構成し、円形に形成することにより、伸び縮み出来るようにして、制振性能を有することにより、問題点を解決している。
【考案の効果】
【０００６】
本考案により、低コストで制振構造に寄与することが出来ると共に、従来では、想定以上の振動があればブレース等が緩んだり、取り付け部分から破損する現象があったが、それを防ぐことが出来る。利用箇所は建築現場の他、装置の設置、運送業や倉庫業の物品の固定にも利用できる。
【図面の簡単な説明】
【０００７】
【図１】本考案の制振ターンバックルの図面である。１は円形の棒ばねで、ナット部分２と溶接されていて、右ねじと左ねじの３と連結されている。
【図２】前記制振ターンバックルの上部から見た図面である。
【図３】前記制振ターンバックルの正面図である。
【図４】前記制振ターンバックルの側面図である。
【図５】前記制振ターンバックルの両端をＳ字にして連結可能にした図である。
【考案を実施するための形態】
【０００８】
建築物に用いる場合は構造材の対角線上ブレース中間部に取り付けて、連結し、前記ターンバックル本体を回すことにより、緩みをなくして設置して利用する。装置の設置、運送業や倉庫業の物品の固定に用いる場合はワイヤーや丸棒等の架線材の中間に取り付けて締め付けることにより、ばね材が利き、より強固に固定出来て、振動に対しても緩みにくい。設置箇所は利用状況によっては、ブレース等の端でも可能であり、設置個数は複数でも設置出来る。また、大きさは、構造等により大小設置可能である。
【実施例】
【０００９】
以下、添付図面に従って実施例を説明する。
図１は、建築物の構造材の対角線上ブレースの棒状部分中間部に制振ターンバックルを設置した例であり、３の延長上には構造材と連結されている。ブレースの締め付け時は１の棒ばね材で組成されている円形部分を回すことにより、２のナット部分の右ねじと左ねじにより、緩みなく締め付けされ、振動に対しても更にばねの効果により振動を吸収して、緩みにくいとともに、連結されている構造材の連結部分の破損もなくす効果を発揮し、建築物の制振構造に寄与する。
【００１０】
図４は制振ターンバックルの側面図である。強固なナット部分の２と円形の棒ばね材の１が溶接により一体となっていて、建築物の構造材の対角線上ブレースの棒状部分３に右ねじと左ねじにより、緩みなく締め付けされ、ブレースの引っ張り強度に対し、円形の棒ばね材の１が縦長の楕円と弓形に変形することにより、振動を吸収して制振性能を発揮する。
【００１１】
図５は制振ターンバックルの両端をＳ字にして連結可能にしている。装置の設置、運送業や倉庫業の物品の固定に用いる場合、Ｓ字部分にワイヤー等を取り付ける。シンプルな構造の為、低コストであり、簡単に設置出来る。
【符号の説明】
【００１２】
１  円形棒ばね部分
２  ナット部分
３  棒ねじ部分
【図１】
0003159724.tif 000003
【図２】
0003159724.tif 000004
【図３】
0003159724.tif 000005
【図４】
0003159724.tif 000006
【図５】
0003159724.tif 000007
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
ターンバックルをばね材で構成し、円形に形成することにより、伸び縮み出来るようにして、制振性能を有する制振ターンバックル。
【請求項２】
円形状のばね材と、前記ばね材と連結する連結部材と、前記連結部材の一端をブレース上部に、他端をブレース下部に接続したことを特徴とする制振ターンバックル。
【請求項３】
ターンバックルを引っ張り強度を特徴とするブレースの一部分に採用することにより、制振性能を有すると共に、圧縮方向にも弾性性能を有することを特徴とする、請求項１または請求項２に記載の制振ターンバックル。
【請求項４】
ワイヤーや丸棒等の架線材の中間に取り付けて締め付けることを特徴とする、請求項１に記載の制振ターンバックル。
(57)【要約】      （修正有）【課題】色の異なった物と混じった時に、容易に一対の組み合わせが見つけられるようにした、男性用、女性用、左右色分け番号、印付き靴下又はセパレートタイプストッキングを提供する。【解決手段】男性用、女性用、左右色分け番号、印付き靴下又はセパレートタイプストッキングで、この左右色分け番号、印付き靴下又はセパレートタイプストッキングにより、多数所有している場合、見分けのつく色分け番号、又は印を左右に設けることによって、容易に一対の組み合わせを見つけることができる。【選択図】図１
0003159709.tif 000002
【実用新案登録請求の範囲】
【請求項１】
靴下又はセパレートタイプストッキングにおいて、色の異なった物と混じった時にすぐ一対を見つける為に、左右色分け番号、又は印を一部に設けることを特徴とする、男性、女性用、左右色分け番号、印付き靴下又はセパレートタイプストッキング。
【考案の詳細な説明】
【技術分野】
【０００１】  本考案は、一対の靴下又はセパレートタイプストッキングにおいて、色の異なった物と混じった時に、容易に一対の組み合わせが見つけられるようにした、男性、女性用、左右色分け番号、印付き靴下又はセパレートタイプストッキングに関する。
【背景技術】
【０００２】  従来、一対の靴下又はセパレートタイプストッキングは似通った色が多い為、多数所有している場合は微妙な色の違いやデザイン、質（繊維）等を短時間で見分けることは困難であった。これまで、靴下においては、左右の区別を確実に行うことができる発明が開示されている。【０００３】  例えば、特許文献１には、「靴下」と言う名称で指袋を備える靴下の左右の区別を確実に行うことが可能な靴下に関する発明が開示されている。この特許文献１に開示された発明は、左右いずれか一方の靴下に視認可能な印部を有するものであり、使用者に左側又は右側の靴下であることを視認させる為のものである。指袋を備える靴下を複数所有している場合、右又は左同士で誤って揃えることがなく、左右を確実に揃えることができる。
【先行技術文献】
【特許文献】
【０００４】
【特許文献１】実用新案登録第３１３４７４７号公報
【考案の概要】
【考案が解決しようとする課題】
【０００５】  特許文献１において開示された発明は、左右を見分ける為のものであり、他社の微妙な色の違いやデザイン、質（繊維）においては対応していないという課題があった。【０００６】  よって、本考案の男性、女性用、左右色分け番号、印付き靴下又はセパレートタイプストッキングは、左右に色分け番号が付いている為、他社の微妙な色の違いやデザイン、質（繊維）においても対応できる。
【課題を解決するための手段】
【０００７】  そこで、色で見分けがつくような印と番号を左右の靴下又はセパレートタイプストッキングの一部に設けた、男性、女性用、左右色分け番号、印付き靴下又はセパレートタイプストッキングを考案した。この、左右色分け番号、印付き靴下又はセパレートタイプストッキングにより、多数所有している場合、見分けのつく色分け番号、又は印を左右に設けることによって、容易に一対の組み合わせを見つけることができる。
【考案の効果】
【０００８】よって本考案の、男性、女性用、左右色分け番号、印付き靴下又はセパレートタイプストッキングにより、色の異なった靴下、又はセパレートタイプストッキングが複数混じった中から一対を見つけることが困難ではなくなる。また、色分け番号及び印が左右に設けられていることにより、一対の片方に穴があいた時や、伝線した時に同一の商品を購入することができ、もう片方を無駄にしなくてよい。
【図面の簡単な説明】
【０００９】
【図１】本考案の一部に設けた数字で示した例。
【図２】本考案の一部に設けた印又は模様で示した例。
【図３】本考案の一部に設けた色で示した例。
【考案を実施するための形態】
【００１０】  本考案に係る、男性、女性用、左右色分け番号、印付き靴下又はセパレートタイプストッキング１は、挿入口４を折り返した筒状の上部の内側２に番号３を設けている。図１で示す番号３の他に、漢字や平仮名、アルファベットを用いてもよい。図２においては、挿入口４を折り返した筒状の上部の内側２に印５を設けてある。図２で示す印５の他に、記号を用いてもよい。図３においては、挿入口４を折り返した筒状の上部の内側２に色を備えている。番号３、印５、色６の大きさは、一目で容易に見分けられることができる大きさであればよい。
【符号の説明】
【００１１】１．靴下又はセパレートタイプストッキング
２．筒状の上部の内側
３．番号
４．挿入口
５．印
６．色
【図１】
0003159709.tif 000003
【図２】
0003159709.tif 000004
【図３】
0003159709.tif 000005
(57)【要約】      （修正有）【課題】フローリングから、カーペットなど多方面にわたり、ゴミが付着しても、手を菌などから守り、簡易に粘着テープをはがせる清掃用粘着ロールを提供する。【解決手段】粘着ロールを、５ｃｍ〜６ｃｍの幅で、スパイラル状に斜めに巻き、ローラ下地まで、１０ｍｍ〜２０ｍｍ位いの空間を設け、めくりやすさを、実現し、先端、後端に、不粘着の部分１を設け、フローリングなどの凹凸のない物に対し、ひっつき、めくれてしまうのを防ぐ。粘着ロール先端横に、１．５ｃｍ〜２．５ｃｍ角で、ローラ本体より外側に、つまみ部分を付け、めくりやすさを実現し、そのつまみ部分２のテープ上部から下部まで、斜めに傾斜をつけ、更に手取（つまみ部分）を指先でめくりやすくする。【選択図】図１
0003159701.tif 000002
【実用新案登録請求の範囲】
【請求項１】
フローリングなど、表面に凹凸が、ない材料に対して、粘着ロールのテープ部分が、付着して、しまわないよう粘着ロールの先端、後端の部分に粘着剤が塗布されていない部を設け、粘着ロールは、適切な幅角度で、斜め方向にスパイラル状に巻き、１度でめくれる適切な長さで、一端側から、他端側まで続く１枚物とし、粘着ロールと、粘着ロールの間に溝が有る事でめくれやすくした。
【請求項２】
指先で、つかみやすいよう、ゴミ、箘など付きにくく、簡単に、はがせる用に、粘着剤を塗布されていない部分を、粘着ロールの先端に、ローラ本体からはみ出るように、としつさせた、つまみ部分を設け、そのとしつした部分に粘着ローラ上部から下部に斜めに傾斜を付ける事により、より指先でめくりやすくした。
【考案の詳細な説明】
【技術分野】
【０００１】本考案は、清掃用粘着ロールを、はがしやすくする為のものである。
【背景技術】
【０００２】従来、粘着ロールでは、表層の部分が広巾である為はがす場所が、わかりにくく、はがしにくい。手で粘着したゴミを触ることが有る。
【考案が解決しようとする課題】
【０００３】わかりにくい、粘着テープの断面を、手を汚す事なく、簡易にめくる事。
【課題を解決するための手段】
【０００４】粘着ロールを、５ｃｍ〜６ｃｍの幅で、スパイラル状に斜めに巻き、ローラ下地まで、１０ｍｍ〜２０ｍｍ位いの空間を設け、めくりやすさを、実現し、先端、後端に、不粘着の部分を設け、フローリングなどの凹凸のない物に対し、ひっつき、めくれてしまうのを防ぎ、粘着ロール先端横に、１．５ｃｍ〜２．５ｃｍ角で、ローラ本体より外側に、つまみ部分を付け、めくりやすさを実現し、そのつまみ部分のテープ上部から下部まで、斜めに傾斜をつけ、更に手取（つまみ部分）を指先でめくりやすくした。
【考案の効果】
【０００５】既存の粘着ロールに簡単に、手を加えるだけで、加工でき、容易に、汚れたテープを、はがすことが出来る。
【考案を実施するための形態】
【０００６】以上の構成であるから、汚れた、テープをめくることにより、新たな、テープが手を汚ごさず、容易に出現する事が出来る。
【図面の簡単な説明】
【０００７】
【図１】本考案に係る、清掃用粘着ロールの斜視図である。
【図２】粘着ロールテープの模式図である。
【符号の説明】
【０００８】１、不粘着部分（ドライエッジ）
２、つまみ部分（取手）
３、つまみ部分が、つかめやすい用の傾斜部分
【図１】
0003159701.tif 000003
【図２】
0003159701.tif 000004
【手続補正書】
【提出日】平成22年3月11日(2010.3.11)
【手続補正１】
【補正対象書類名】実用新案登録請求の範囲
【補正対象項目名】全文
【補正方法】変更
【補正の内容】
【実用新案登録請求の範囲】
【請求項１】
フローリングなどの、表面に凹凸がない、材質に対し、付着防止の為に、粘着ロールテープの先端、後端の部分に粘着剤が塗布されていない部分を設け、粘着ロールのテープを、ローラ本体に斜め方向にスパイラル状に巻き、一端側から、他端側まで続く１枚物とし、粘着ロールテープと、粘着ロールテープの間に溝を設けた、粘着ロール。
【請求項２】
指先で、粘着ロールのテープを、つかめるよう、粘着剤を、塗布されていない部分を、ローラ本体から、はみ出させた、つまみ部分として設けた請求項１に記載された、粘着ロール。
(57)【要約】      （修正有）【課題】素手を水中に浸すことなく米砥ぎ作業ができ、一体的に収納することができる米砥ぎ具を提供する。【解決手段】耐磨耗、撥水性に富む樹脂系材質の糸で編まれた網袋で開口部を楕円状に形成された保持具に係止させ、保持具は網袋把手を具備し、且つ網袋把手には組合せ孔を設ける。撹拌棒と撹拌棒把手に具備する組合せ突起を挿入して収納時の一体性を保持する。米の取出し排出が確実に実施できるよう網袋底外部に掴み代片を設ける。【選択図】図１
0003159750.tif 000002
【実用新案登録請求の範囲】
【請求項１】
耐磨耗、撥水性に富む樹脂系材質の糸で編まれた網袋の開口部を楕円状の保持具に巻いて係止させ、該保持具と一体的に形成される網袋把手には組合せ孔を穿ち、撹拌棒と撹拌棒把手に具備する組合せ突起との嵌合を可能とし、使用時撹拌棒を組合せ嵌合状態を解除して外し網袋へ米を投入、撹拌棒を使用して米砥ぎを実施し、米砥ぎ後の米の取出し排出のための網袋底外部に掴み代片を付けてなる米砥ぎ具。
【考案の詳細な説明】
【技術分野】
【０００１】  本考案は、手を濡らすことなく効果的に米を砥ぐための米砥ぎ具に関するものである。
【背景技術】
【０００２】  従来、米を砥ぐときには一般的に容器の冷水に手を浸し撹拌することが普通におこなわれており、場合によっては、公開実用新案平５−１８４４１号公報に現すように金網籠、洗い容器、撹拌棒、受板を用いて冷水に手を浸すことを避ける方法もとられている。
【先行技術文献】
【特許文献】
【０００３】
【特許文献１】実開  平５−１８４４１号公報
【考案の概要】
【考案が解決しようとする課題】
【０００４】  前述の現在公知の米砥ぎにあっては、必要な器具がバラバラに用意されて、収納或いは使用準備に煩雑さを伴うという問題があり、この問題を解決し、素手を水中に浸すことなく米砥ぎ作業をすることと、使用する器具の収納時の一体性を持たす簡便さを備える米砥ぎ器具を提供することである。
【課題を解決するための手段】
【０００５】  耐磨耗、撥水性に富む樹脂系材質の糸で編まれた網袋で開口部を楕円状に形成された保持具に係止させ、保持具は片手保持用の網袋把手を具備し、且つ網袋把手には脱着可能な組合せ孔を穿ち、組合せ突起を持つ撹拌棒を挿入し取り付け得るように構成するものである。【０００６】  使用時撹拌棒を篏合から外し網袋へ米を投入、網袋を別容器の洗浄水に浸し撹拌棒で米砥ぎを実施後、米の取出し排出が確実に実施できるよう網袋底外部に設けてある掴み代片を指先で掴み洗浄後の米を排出する。
【考案の効果】
【０００７】  本考案は米砥ぎの際課題としている、素手をできるだけ水に触ることなく作業することにより寒冷時の苦痛から開放するものである。
【図面の簡単な説明】
【０００８】
【図１】  米砥ぎ実施参考図
【図２】  洗浄米排出参考図
【図３】  米砥ぎ具全体図
【図４】  網袋平面図
【図５】  網袋全体図
【図６】  撹拌棒正面図
【図７】  撹拌棒右側面図
【考案を実施するための形態】
耐磨耗、撥水性に富む樹脂系材質の糸で編まれた網袋１で開口部を楕円状に形成された保持具３に係止させ、保持具３は片手保持用の網袋把手２を具備し、且つ網袋把手２には脱着可能な組合せ孔４を穿ち、組合せ突起８を持つ撹拌棒６を篏合組合せにより取り付ける。
使用時、撹拌棒６を篏合から外し網袋１へ米を投入、網袋１を別容器の洗浄水に浸し撹拌棒６で米砥ぎを実施後、米の取出し排出が確実に実施できるよう網袋底外部に設けてある掴み代片５を指先で掴み洗浄後の米を排出するものである。
【符号の説明】
【００１０】  １    網袋
２    保持具
３    網袋把手
４    組合せ孔
５    掴み代片
６    撹拌棒
７    撹拌棒把手
８    組合せ突起
【図１】
0003159750.tif 000003
【図２】
0003159750.tif 000004
【図３】
0003159750.tif 000005
【図４】
0003159750.tif 000006
【図５】
0003159750.tif 000007
【図６】
0003159750.tif 000008
【図７】
0003159750.tif 000009
(57)【要約】      （修正有）【課題】容易で衛生的に入れ歯洗浄が出来る使い捨て入れ歯バックを提供する。【解決手段】２枚の長方形フイルムの３辺を接着し、長手方向トップ部位の開口部位にジッパーをつけ、底部の両サイドの一部を対照的にカットし、その端部を接着したり又は底部に窪みを設けた袋の中に、入れ歯洗浄剤を備え付ける。【選択図】図２
0003159747.tif 000002
【実用新案登録請求の範囲】
【請求項１】
２枚の長方形フイルムの３辺を接着し、長手方向トップ部位の開口部位にジッパーをつけ底部については両サイドの一部を対照的にカットしその端部を接着したり又は底部に窪みを設けた袋の中に入れ歯洗浄剤を備え付け使用後は破棄することを特長とする使い捨て入れ歯洗浄バック。
【考案の詳細な説明】
【技術分野】
【０００１】本考案は入れ歯洗浄に使用後、衛生上破棄するための簡易入れ歯洗浄バックに関するものである。
【背景技術】
【０００２】従来の入れ歯洗浄には器を使用するため病のある場合や旅先又災害時において避難先で使用後の器の洗浄が苦痛であり難し場合に使用後器を破棄できることが望ましいがそのようなものは知られていない。
【考案が解決しようとする課題】
【０００３】従来の入れ歯洗浄には洗浄保管の為の器と洗浄剤の用意が必要であるが洗浄剤付帯のバッグだけで其れに水を入れることにより容易に洗浄が出来、尚且つ使用後に器を洗うことなく破棄することが出来る衛生的な使い捨て入れ歯洗浄バックを提供することが課題である。
【課題を解決するための手段】
【０００４】上記課題を解決する為に軽量で水漏れしない紙や合成樹脂などを使用したバックでトップのジッパー部より入れ歯と水を注ぐだけでバック中に付帯する洗浄剤により洗浄をし使用後はバックを破棄する事により容易に衛生的な入れ歯洗浄が可能となる。
【考案の効果】
【０００５】従来、器を使用しての入れ歯洗浄は病のときや出先にて行う場合、器の水きりや洗浄が容易でないが使い捨て入れ歯洗浄バックを使用することは既に洗浄剤が付帯している為、容易に洗浄することが出来又器の清掃も不要なので衛生面に於ても充分に効果がある。
【図面の簡単な説明】
【０００６】
【図１】バックの正面図
【図２】水を入れての使用時バック底部を横から見た図
【図３】バック底部両サイドの一部を対照的にカットした場合の正面図
【図４】水を入れての使用時バック底部両サイドの一部を対照的にカットした場合の横から見た図
【実施例１】
【０００７】  本考案の実施の形態を図１から図２図３図４にもとずいて説明する。
図１のトップに備えたジッパーは入れ歯や水を出し入れる開口口である。中には入れ歯洗浄剤が付帯されている。
図２は図１に入れ歯や水を入れこぼれない為にジッパーをとじた場合の横から見た断面のようすをしめす。
図３は底部両サイドを対照的にカットした場合の正面をしめすものであり中には入れ歯洗浄剤が付帯されている。
図４はトップのジッパーを開き入れ歯と水を入れ使用した状態において安定の為底部両サイドの一部を対照的にカットし接着した場合の底部の形態を示す。【０００８】  本考案を実施する上での素材はたゆむ事の出来る合成樹脂か水の漏らない加工済みの紙が望ましく図１図３に示す形態はジッパー［Ｑ］を開閉することにより入れ歯や水の出し入れに使用し又水を入れた使用時にそれらが倒れてもこぼれない様に閉じる事が出来、これら全てのバッグには１回分のいれば洗浄剤が入っており、図２図４は水を入れ使用している形態を示すものであるがこの状態の安定を図る為に図２に示すように底部を窪ませたり図３図４に示すように両隅をカットしたりして使用時の安定をはかるものである。
【符号の説明】
【０００９】［Ｑ］長手方向トップ部にバックの開閉の為に取り付けたジッパー。
【図１】
0003159747.tif 000003
【図２】
0003159747.tif 000004
【図３】
0003159747.tif 000005
【図４】
0003159747.tif 000006
(57)【要約】      （修正有）【課題】コップに水を差し入れたり、ペットボトルや缶入りジュースを新たに購入する必要がなく経費と時間と手間がいらない飲料水容器付薬ケースを提供する。【解決手段】飲料水容器の側面に薬ケースを着脱可能に装着し、飲料水容器の上部にはキャップで閉栓可能な吸出口が設けられ、飲料水容器の内部には、仕切りによって上下に仕切られた複数の液室が設けられ、各々の仕切りには、上下の液室どうしを互いに連通する連通穴が互い違いに設けられていることを特徴とする。【選択図】図１
0003159744.tif 000002
【実用新案登録請求の範囲】
【請求項１】
飲料水容器の側面に薬ケースを着脱可能に装着し、飲料水容器の上部にはキャップで閉栓可能な吸出口が設けられ、飲料水容器の内部には、仕切りによって上下に仕切られた複数の液室が設けられ、各々の仕切りには、上下の液室どうしを互いに連通する連通穴が互い違いに設けられていることを特徴とする飲料水容器付薬ケース。
【考案の詳細な説明】
【技術分野】
【０００１】  本考案は、時間と手間のかからない飲料水容器付薬ケースであって、旅行に出張に職場でいつでも携帯でき安心して薬が飲める飲料水容器付薬ケースに関するものである。
【背景技術】
【０００２】  従来一般の薬ケースや薬袋は薬の種類を分別するだけのものがある。
【考案の概要】
【考案が解決しようとする問題】
【０００３】  しかしながら、従来の薬を飲む時はコップに水を差し入れて飲むかペットボトルや缶入りジュースを別途購入する必要があり、購入する手間や出費が嵩む問題があった。
【０００４】  本考案の飲料水容器付薬ケースは、このような従来の薬ケースや薬袋が有して問題を解決しようとするものであり、これらのコップに水を差し入れたり、ペットボトルや缶入りジュースを新たに購入する必要がなく経費と時間と手間がいらない飲料水容器付薬ケースを提供することを目的とする。
【課題を解決するための手段】
【０００５】  本考案の飲料水容器付薬ケースは、飲料水容器の側面に薬ケースを着脱可能に装着し、飲料水容器の上部にはキャップで閉栓可能な吸出口が設けられ飲料水容器の内部には、仕切りによって上下に仕切られた複数の液室が設けられ、各々の仕切りには、上下の液室どうしを互いに連通する連通穴が互い違いに設けられていることを特徴とする。
【０００６】  飲料水容器付本体と薬ケースを合体収納し、旅行や出張や職場で薬を飲む時、１槽室〜３槽室を上下に向きを変えれば、３回分の水を１回分ずつ飲むことができる。
【考案の効果】
【０００７】  上述したように本考案の飲料水容器付薬ケースは、飲料水容器付と薬ケースを合体収納することで、これらを別に購入する出費を減らしたりコップで水を飲む必要もなくできる。またこれによって薬の大切さと健康増進を図ることができる。
【図面の簡単な説明】
【０００８】
【図１】  本考案の実施形態を示す飲料水容器付薬ケースの断面図
【図２】  飲料水容器付薬ケースの斜視図
【図３】  飲料水容器付薬ケースの断面図
【考案を実施するための最良の形態】
【０００９】  以下、本考案を実施するための最良の形態について図面を参照して説明する。図１ないし図３は、本考案の実施形態を示すもので、これらの図において符号１は飲料水容器付薬ケースを示している。【００１０】  飲料水容器付本体１３はキャップ１０を開栓し、吸出口１１より補給した飲料水を内部の各室に補給することができる。吸出パイプ１２を通って第１槽室１７に流れ込み更に第１槽流水穴２１より第２槽室１８に通って第２槽流水穴２２から第３槽１９内まで溜まるようになっている。そして吸出口１１にはキャップ１０を閉栓できるように構成されている。【００１１】  飲料水容器本体１３に薬ケース２０が垂直上下着脱に取り付けられている。又薬を飲むときは薬ケース２０を取り外すことなく薬ケース開閉蓋２５を開放して中の薬を取り出すことができるようになっている。【００１２】  １回目の薬を飲む時、第１槽室内１７の飲料水を用いる。このとき飲料水容器本体１３を傾けると、第１槽室１７内の飲料水が吸出パイプ１２を移動するのでキャップ１０を外して吸出１１から飲料水を飲めることにより、１回目の薬を飲める。【００１３】  ２回目の薬を飲む時、第２槽室内１８の飲料水を、１槽流水穴２１側を下に向けると、第２槽室内１８の飲料水が、第１槽室内１７に流れて溜まり、また、１槽流水穴２１を上に向けると、第１槽室内１７に溜まるので、１回目の薬を飲む要領で、飲料水が吸出パイプ１２を移動しキャップ１０を外して吸出口１１から適量水で薬が飲める。【００１４】  ３回目の薬を飲む時、第３槽室内１９の飲料水を、２槽流水穴２２を下側に向けると、第３槽室内１９の飲料水が第２槽室内１８に、流れて飲料水が溜まり、更に１槽流水穴２１を下に向けると、第１槽室内１７に飲料水が流れて溜まり、第２槽室内１８と第３槽室内１９が空室になり、飲料水が吸出パイプ１２を移動するので、キャップ１０を外して吸出１１から最後の適量水で３回目の薬が飲める。【００１５】  これにより、３回分の薬が、その場で飲める。手間がいらずコップに水を差し入れたり、ペットボトルや缶ジュースを新たに購入する必要もなく、交通移動や旅等にも手軽に持参すすることができる。
【符号の説明】
【００１６】１０  キャップ
１１  吸出口
１２  吸出パイプ
１３  本体
１４  薬ケース受
１５  １槽室仕切
１６  ２槽室仕切
１７  １槽室
１８  ２槽室
１９  ３槽室
２０  薬ケース
２１  １槽流水穴
２２  ２槽流水穴
２３  薬ケース固定受
２４  薬ケース本体受
２５  薬ケース開閉蓋
【図１】
0003159744.tif 000003
【図２】
0003159744.tif 000004
【図３】
0003159744.tif 000005
(57)【要約】      （修正有）【課題】板の中央に１個のランドルト環を描いた視力検査応答板に関して、板を見なくともランドルト環の向きが分る視力検査応答板を提供する。【解決手段】応答板１に描いたランドルト環２の開口部に近い板縁に切欠部３を設ける。被験者は指先で切欠部３を常に抑えておくことによりランドルト環の向きをいつも知ることができるので、手元を見る必要がなく、視力表に注意を集中でき、検査を短時間で終えることができる。【選択図】図１
0003159756.tif 000002
【実用新案登録請求の範囲】
【請求項１】
扁平板１の中央に描いた１個のランドルト環２の開口部に最も近い板縁に切欠部３を設けた視力検査応答板。
【考案の詳細な説明】
【技術分野】
【０００１】  本考案は視力検査補助具に関する。
【背景技術】
【０００２】  幼児の視力検査のとき、ランドルト環（以下、ラ環という）開口部の方向を口頭で答えてもらうよりは、読むべく指示された視標と同じ向きに被検者手元の応答板の向きを合わせてもらう方が円滑に検査が進む。この目的のために単一視標板型の応答板（特許文献１の第４図）が提案されている。この板は表裏両面に開口部の向きが同じラ環が描かれていて、検査者と被検者との双方からラ環を見ることができる。
【先行技術文献】
【特許文献】
【０００３】
【特許文献１】  実開１９８５−１０２００１
【考案の概要】
【考案が解決しようとする課題】
【０００４】  このような従来の応答板を用いるとき、被検者は検査視標が示されるたびに、遠くの視標と手元の応答板との両方を見る必要があった。手元の応答板ラ環開口部の向きが被検者にはすぐ分からなくなるからである。手元を見なくともラ環の向きが分るような応答板を得ることが本考案の課題である。
【課題を解決するための手段】
【０００５】  図１・図２に示すように、扁平な板１に描いたラ環２の開口部に最も近い板縁に切欠部３を設けた。
【考案の効果】
【０００６】  被検者は指先で切欠部３を常に抑えておくことによりラ環の向きをいつも知ることができるので、手元を見る必要がなく、視力表に注意を集中でき、検査を短時間で終えることができる。
【図面の簡単な説明】
【０００７】
【図１】実施例１の正面図
【図２】実施例２の正面図
【考案を実施するための形態】
【実施例】
【０００８】  本考案の実施例１を図１に示す。正八角形板１の１辺の垂直２等分線上にラ環２の開口部と板縁切欠部３とが来るようにする。また、本考案の実施例２を図２に示す。円形板の１つの半径上にラ環開口部と切欠部とが来るようにする。
【符号の説明】
【０００９】    １  扁平板
２  ランドルト環
３  切欠部
【図１】
0003159756.tif 000003
【図２】
0003159756.tif 000004